(57)【特許請求の範囲】
【請求項１】
データの記録再生可能なディスク状の情報記録媒体において、
前記ディスク状の情報記録媒体は、データを記録または再生可能なデータゾーンと、
データの記録または再生を実行するヘッドを前記情報記録媒体に対して位置決めするためのサーボ情報を記録したサーボゾーンを有し、
前記サーボゾーンは、ディスクのデータトラックを識別するトラックアドレスを記録したトラックアドレス記録領域を有し、前記トラックアドレス記録領域に情報記録媒体を識別するシリアルナンバーから構成されるＩＤ情報が記録された構成を有することを特徴とする情報記録媒体。
【請求項２】
前記ディスク状の情報記録媒体は複数のデータゾーンと複数のサーボゾーンとが交互に形成された構成を有し、
前記ＩＤ情報は、前記複数のサーボゾーンの少なくとも１つのサーボゾーン内に記録された構成を有することを特徴とする請求項１に記載の情報記録媒体。
【請求項３】
前記ＩＤ情報は複数のサーボゾーンに記録された情報を連結することにより１つのＩＤ情報を形成する構成としたことを特徴とする請求項２に記載の情報記録媒体。
【請求項４】
前記複数のサーボゾーンの異なるサーボゾーンに、同じＩＤ情報が複数個記録された構成を有することを特徴とする請求項２に記載の情報記録媒体。
【請求項５】
前記ディスク状の情報記録媒体の異なる面のサーボゾーンに、同じＩＤ情報が複数個記録された構成を有することを特徴とする請求項４に記載の情報記録媒体。
【請求項６】
前記ディスク状の情報記録媒体の同一面のサーボゾーンの異なる半径位置の領域に、同じＩＤ情報が複数個記録された構成を有することを特徴とする請求項４に記載の情報記録媒体。
【請求項７】
データの記録再生可能なディスク状の情報記録媒体を有する情報処理装置において、
前記ディスク状の情報記録媒体は、データを記録または再生可能なデータゾーンと、
情報記録媒体に対してデータの記録または再生を実行するヘッドを位置決めするためのサーボ情報を記録したサーボゾーンを有し、
前記サーボゾーンは、ディスクのデータトラックを識別するトラックアドレスを記録したトラックアドレス記録領域を有し、前記トラックアドレス記録領域に情報記録媒体を識別するシリアルナンバーから構成される情報記録媒体を識別するＩＤ情報が記録された構成を有することを特徴とする情報記録媒体を有する情報処理装置。
【請求項８】
前記情報処理装置は、
前記情報記録媒体に対するデータの記録再生処理を実行する手段を有し、前記ＩＤ情報を、前記サーボゾーンから読み取るＩＤ情報読み取り手段を有することを特徴とする請求項７に記載の情報処理装置。
【請求項９】
前記ＩＤ情報読み取り手段は、ＩＤ情報を記録した前記情報記録媒体のＩＤ情報記録サーボゾーン領域情報に基づいて、該ＩＤ情報記録サーボゾーンのデータをＩＤ情報として読み取る構成を有することを特徴とする請求項８に記載の情報処理装置。
【請求項１０】
前記ＩＤ情報読み取り手段は、前記ＩＤ情報記録サーボゾーン領域情報に対応して生成されたＩＤ情報読み取りプログラムを実行する手段によって構成されることを特徴とする請求項９に記載の情報処理装置。
【請求項１１】
前記情報処理装置は、外部の情報提供手段からの配信情報を情報記録媒体に記録する際に、前記ＩＤ情報に基づいて生成されたライセンス情報と、前記ＩＤ情報の比較処理を実行するＩＤ比較手段と、
前記ＩＤ比較手段における比較処理の結果、該ライセンス情報が、前記ＩＤ情報に基づいて作成された情報であることの確認がなされた場合にのみ、外部の情報提供手段からの情報を前記情報記録媒体に記憶可能とする記憶可能化手段と、
を有することを特徴とする請求項１０に記載の情報処理装置。
【請求項１２】
前記記憶可能化手段は、情報提供手段からの暗号化情報の復号処理を実行する復号処理手段であり、前記ＩＤ比較手段における比較処理の結果、該ライセンス情報が、前記ＩＤ情報に基づいて作成された情報であることの確認がなされた場合にのみ、外部の情報提供手段からの暗号化情報を復号する構成であることを特徴とする請求項１１に記載の情報処理装置。
【請求項１３】
前記情報処理装置は、外部の情報提供手段からの配信情報を前記情報記録媒体に記録し、該記録情報を再生する際に、前記ＩＤ情報に基づいて生成されたライセンス情報と、前記ＩＤ情報の比較処理を実行するＩＤ比較手段と、
前記ＩＤ比較手段における比較処理の結果、該ライセンス情報が、前記ＩＤ情報に基づいて作成された情報であることの確認がなされた場合にのみ、前記情報記録媒体に記録した記録情報を再生可能とする再生可能化手段と、を有することを特徴とする請求項１０に記載の情報処理装置。
【請求項１４】
前記再生可能化手段は、情報提供手段からの暗号化情報の復号処理を実行する復号処理手段であり、前記ＩＤ比較手段における比較処理の結果、該ライセンス情報が、前記ＩＤ情報に基づいて作成された情報であることの確認がなされた場合にのみ、前記情報記録媒体に記録した暗号化情報を復号する構成であることを特徴とする請求項１３に記載の情報処理装置。
【発明の詳細な説明】
【０００１】
【発明の属する技術分野】
本発明は、磁気ディスクや光ディスクなどデータを記録再生可能な、ディスク状の情報記録媒体および情報処理装置に係り、特に、データをデジタル的に記録・再生可能なデジタルデータ記録再生装置において、音楽や映像などの情報をネットワーク、放送、あるいは他の記録媒体を通じて受信または受領し、これをパーソナルコンピュータ等に接続された磁気ディスク装置などに記録する際、不正コピーを防止し、制作者の著作権を保護することを可能とした情報記録媒体および情報処理装置に関する。
【０００２】
【従来の技術】
近年、音楽や映像などの情報をネットワークや放送を通じて配信し、配信情報をインターネット等を介して受信し、受信した情報を個人のパーソナルコンピュータ等のディスプレイに表示、あるいはパーソナルコンピュータに接続された磁気ディスク、光磁気ディスク装置などに記録するネットワーク型データ配信システムが普及してきている。
【０００３】
例えばインターネット等に接続したパーソナルコンピュータを有するユーザが、受信したデジタル情報をディスプレイに出力して表示させる行為は、一般的に情報の提示側の著作権者から許容されているものと理解される。しかしながら、これらの情報を、磁気ディスク、光磁気ディスク、その他の記録媒体に記録する行為は、著作権者からの特別な許諾が必要となることがある。配信情報を個人の磁気ディスク、光磁気ディスク、その他の記録媒体に記録する行為を制限するために、例えば、ディスク装置に情報を記録することが許可されているか否かを表すキーを記憶しておき、このキーを利用して、そのディスク装置が正当な装置、すなわち情報提供側からのライセンスを受けた装置であるか否かを認証するように構成し、正当な装置として認証された場合には、そのディスク装置に情報記録を許容するようにすることが考えられる。
【０００４】
情報を伝送する情報提供側と、情報の伝送を受け、伝送情報を記録しようとする情報受信装置との間で、受信者の装置が適正な記録を許容した装置であるか否か、すなわち受信者の装置がライセンスされた装置であるか否かを認証する方法として、情報受信側のシステム中に情報記憶装置または記録媒体を識別するための固有の情報（ＩＤ情報）を埋め込んでおく構成がある。
【０００５】
情報提供側は情報の配信を行なう際に、その固有の情報（ＩＤ情報）をもとに、情報提供側と情報受信装置間において正規にライセンスされた装置であるか否かについてチェックを行い、それが正規にライセンスされた装置であることが確認されれば、通常どおり記録を行い、それが正規にライセンスされた装置でなければ記録を行わないというものである。
【０００６】
あるいは、どのような装置でも情報の記録は可能とし、再生時にライセンスのチェックを行うことによって不正なコピーであれば再生しないようにする手法もある。媒体または装置を識別するための固有情報は、媒体のデータ記録部分の所定の位置に出荷時点であらかじめ重複のないように記録される。
【０００７】
上述の、不正コピー防止構成として、例えばインターネットを介したデータ通信例を図８に示す。
【０００８】
図８に示す構成において、情報プロバイダ８００は、複数の情報受信ユーザ８０１、８０２、８０３とインターネットを介して接続され、相互に情報の転送が可能な構成となっている。
【０００９】
情報プロバイダ８００から情報を受信し、ユーザのパーソナルコンピュータに付属のハードディスク等の記憶装置に受信データを記憶しようとするユーザは、ネットワークを介して情報プロバイダ８００にデータ配信要求を行なうとともに、自身のＩＤを情報プロバイダ８００に送信する。
【００１０】
情報プロバイダ８００は、ユーザからのＩＤを受信すると、登録ＩＤデータベース８２０に登録されたＩＤとの照合を実行し、一致するＩＤが登録ＩＤデータベース８２０に登録されていれば、正規なライセンスを付与したユーザからのデータ配信要求であるとして、データ（Ｐ）を配信データ・データベース８１０から取り出してユーザに提供する。この際、データは例えば暗号化されてｆ（Ｐ）として送信することができる。
【００１１】
ユーザからのＩＤが登録ＩＤデータベース８２０に登録されたＩＤと照合の結果、一致するものが無い場合は、正規なライセンスを受けたユーザからのデータ要求ではないと判定して、データの転送は行なわない。
【００１２】
このようなシステムにおいて、情報受信ユーザ８０１、８０２、８０３は一般に個人のパーソナルコンピュータ等であり、データ通信手段を有するとともに、データ記録可能な磁気ディスク等の装置を備えた装置である。ユーザの使用するＩＤは、ユーザが自ら作成したＩＤであるか、あるいは、予めシステム固有の情報（ＩＤ情報）として媒体のデータ記録部分の所定位置に出荷時点で記録されたＩＤである。
【００１３】
情報プロバイダ８００は、予めユーザとライセンスを結び、その際、ライセンスされた情報受信ユーザ８０１、８０２、８０３の固有の情報（ＩＤ情報）を登録ＩＤデータベース８２０に登録する。情報プロバイダ８００は、情報受信ユーザ８０１、８０２、８０３側から転送されてきたＩＤ情報と登録ＩＤとを比較し、両者が一致するか否かを判定し、一致すれば、ユーザを正当なユーザであると認証し、例えば、配信情報を所定のキー：ｋで暗号化して、情報受信ユーザ８０１、８０２、８０３側に伝送する。
【００１４】
このキー：ｋとしては、例えば情報受信ユーザ８０１、８０２、８０３が伝送してきた装置ＩＤを所定の関数ｆに適用して生成した値：ｋ（＝ｆ（ＩＤ））を用いることができる。情報受信装置７０２側においても、同様にして、ＩＤに関数ｆを適用して、キー：ｋ（＝ｆ（ＩＤ））を生成する。そして、このキーｋを用いて、情報提供側から伝送されてきた、暗号化されている音声または画像データを復号するような構成が可能である。
【００１５】
【発明が解決しようとする課題】
しかしながら、従来の上記構成においては、ユーザの有する情報受信装置の固有の情報（ＩＤ情報）はユーザが設定したＩＤであったり、媒体のデータ記録部分の所定位置に出荷時点で記録されたＩＤであったりする。このような任意設定のＩＤや、データ記録媒体のデータ記録領域に出荷時点で記録されたＩＤは、容易に書き変えることが可能である。ハードディスク等の記録媒体のデータ部分に記録されたＩＤは、ユーザの操作によって、ホストコンピュータから書き換えが可能であるため、改竄される可能性がある。
【００１６】
不正なＩＤの改竄を防止するため、例えばディスクドライブを制御するプログラムによって、ＩＤ情報を記録した部分を書き換え不可能とする処理を行うようにする構成も可能であるが、不正コピーを企てる者がこの制御プログラムを書き換えるなどの手法によってその領域のデータを書き換える可能性は残される。
【００１７】
その結果、例えば、不正なユーザによって、１つの電子機器に保持されているＩＤを書き換え、正当なライセンスを受けたユーザのＩＤに変更することにより、受信データの不正な記録を可能としてしまうこともできる。さらに、正当なＩＤを複数の装置にコピーすることにより、多数の機器において受信データの不正記録を可能にしてしまうことも起こり得る。
【００１８】
従って、従来システムにおけるＩＤ情報を媒体のデータ部分に記録するという手法では、不正コピーを防止しきれないという問題点があった。
【００１９】
本発明は、上述のような従来技術の問題点を解決するものであり、ＩＤ情報を書き換えることができないように構成した情報記録媒体、あるいはこのような情報記録媒体を有する情報処理装置を提供することを目的とする。
【００２０】
【課題を解決するための手段】
本発明は、上述の目的を達成するためになされたものであり、その第１の側面は、
データの記録再生可能なディスク状の情報記録媒体において、
前記ディスク状の情報記録媒体は、データを記録または再生可能なデータゾーンと、
データの記録または再生を実行するヘッドを前記情報記録媒体に対して位置決めするためのサーボ情報を記録したサーボゾーンを有し、
前記サーボゾーンは、ディスクのデータトラックを識別するトラックアドレスを記録したトラックアドレス記録領域を有し、前記トラックアドレス記録領域に情報記録媒体を識別するシリアルナンバーから構成されるＩＤ情報が記録された構成を有することを特徴とする情報記録媒体にある。
【００２１】
さらに、本発明の情報記録媒体の一態様において、前記ディスク状の情報記録媒体は、複数のデータゾーンと複数のサーボゾーンとが交互に形成された構成を有し、前記ＩＤ情報は、前記複数のサーボゾーンの少なくとも１つのサーボゾーン内に記録された構成を有することを特徴とする。
【００２２】
さらに、本発明の情報記録媒体の一態様において、前記ＩＤ情報は複数のサーボゾーンに記録された情報を連結することにより１つのＩＤ情報を形成する構成としたことを特徴とする。
【００２４】
さらに、本発明の情報記録媒体の一態様において、前記複数のサーボゾーンの異なるサーボゾーンに、同じＩＤ情報が複数個記録された構成を有することを特徴とする。
【００２５】
さらに、本発明の情報記録媒体の一態様において、前記ディスク状の情報記録媒体の異なる面のサーボゾーンに、同じＩＤ情報が複数個記録された構成を有することを特徴とする。
【００２６】
さらに、本発明の情報記録媒体の一態様において、前記ディスク状の情報記録媒体の同一面のサーボゾーンの異なる半径位置の領域に、同じＩＤ情報が複数個記録された構成を有することを特徴とする。
【００２７】
さらに、本発明の第２の側面は、
データの記録再生可能なディスク状の情報記録媒体を有する情報処理装置において、
前記ディスク状の情報記録媒体は、データを記録または再生可能なデータゾーンと、
情報記録媒体に対してデータの記録または再生を実行するヘッドを位置決めするためのサーボ情報を記録したサーボゾーンを有し、
前記サーボゾーンは、ディスクのデータトラックを識別するトラックアドレスを記録したトラックアドレス記録領域を有し、前記トラックアドレス記録領域に情報記録媒体を識別するシリアルナンバーから構成される情報記録媒体を識別するＩＤ情報が記録された構成を有することを特徴とする情報記録媒体を有する情報処理装置にある。
【００２８】
さらに、本発明の情報処理装置の一態様において、前記情報処理装置は、前記情報記録媒体に対するデータの記録再生処理を実行する手段を有し、前記ＩＤ情報を、前記サーボゾーンから読み取るＩＤ情報読み取り手段を有することを特徴とする。
【００２９】
さらに、本発明の情報処理装置の一態様において、前記ＩＤ情報読み取り手段は、ＩＤ情報を記録した前記情報記録媒体のＩＤ情報記録サーボゾーン領域情報に基づいて、該ＩＤ情報記録サーボゾーンのデータをＩＤ情報として読み取る構成を有することを特徴とする。
【００３０】
さらに、本発明の情報処理装置の一態様において、前記ＩＤ情報読み取り手段は、前記ＩＤ情報記録サーボゾーン領域情報に対応して生成されたＩＤ情報読み取りプログラムを実行する手段によって構成されることを特徴とする。
【００３１】
さらに、本発明の情報処理装置の一態様において、前記情報処理装置は、外部の情報提供手段からの配信情報を情報記録媒体に記録する際に、前記ＩＤ情報に基づいて生成されたライセンス情報と、前記ＩＤ情報の比較処理を実行するＩＤ比較手段と、前記ＩＤ比較手段における比較処理の結果、該ライセンス情報が、前記ＩＤ情報に基づいて作成された情報であることの確認がなされた場合にのみ、外部の情報提供手段からの情報を前記情報記録媒体に記憶可能とする記憶可能化手段とを有することを特徴とする。
【００３２】
さらに、本発明の情報処理装置の一態様において、前記記憶可能化手段は、情報提供手段からの暗号化情報の復号処理を実行する復号処理手段であり、前記ＩＤ比較手段における比較処理の結果、該ライセンス情報が、前記ＩＤ情報に基づいて作成された情報であることの確認がなされた場合にのみ、外部の情報提供手段からの暗号化情報を復号する構成であることを特徴とする。
【００３３】
さらに、本発明の情報処理装置の一態様において、前記情報処理装置は、外部の情報提供手段からの配信情報を前記情報記録媒体に記録し、該記録情報を再生する際に、前記ＩＤ情報に基づいて生成されたライセンス情報と、前記ＩＤ情報の比較処理を実行するＩＤ比較手段と、前記ＩＤ比較手段における比較処理の結果、該ライセンス情報が、前記ＩＤ情報に基づいて作成された情報であることの確認がなされた場合にのみ、前記情報記録媒体に記録した記録情報を再生可能とする再生可能化手段とを有することを特徴とする。
【００３４】
さらに、本発明の情報処理装置の一態様において、前記再生可能化手段は、情報提供手段からの暗号化情報の復号処理を実行する復号処理手段であり、前記ＩＤ比較手段における比較処理の結果、該ライセンス情報が、前記ＩＤ情報に基づいて作成された情報であることの確認がなされた場合にのみ、前記情報記録媒体に記録した暗号化情報を復号する構成であることを特徴とする。
【００３５】
【作用】
本発明の情報記録媒体、および情報処理装置によれば、音声情報や画像情報などの著作権がある情報を記憶装置に記憶したり再生したりする場合、正規にライセンスされたもの以外の装置、あるいは媒体に記憶再生することを非常に困難にすることが可能となり、正規にライセンスされたユーザの装置をより確実に識別して、正規システムを使用するユーザにのみ情報提供者の情報を記録可能とした情報記録媒体、および情報処理装置を提供することができる。
【００３６】
【発明の実施の形態】
以下、本発明の情報記録媒体、および情報処理装置の構成についてその詳細を説明する。なお、以下の実施例では、情報記録媒体として磁気ディスクを例として説明するが、本発明は磁気ディスク装置に限らず、光磁気ディスク、光ディスク等、データの記録再生が可能な情報記録媒体全般に適用可能な発明である。
【００３７】
【実施例】
図１に本発明にかかる情報処理装置において使用可能な磁気ディスクを示す。図１に示す磁気ディスクは、サーボゾーン１０１とデータゾーン１０２が交互に配置された構成を持つ。図１には、複雑化を避けるため、サーボゾーン１０１の数を実際より少なく示してあるが、実際のディスクにおいては、ディスク１周当たり、数十から数百のサーボゾーンが形成される。これらのサーボゾーンのうち、ある一つ（または複数個）のサーボゾーンにおいては、トラックアドレスを記録する領域に、ディスクの周方向の基準点、すなわちホームインデックスを示す特殊なパターンが記録されている。
【００３８】
図２にサーボゾーンの詳細を示す。図２に示すようにサーボゾーンには、ヘッドをディスクの所定位置に位置決めして、データの書き込みおよび再生が可能なように様々なマーク、パターンが記録または形成されている。
【００３９】
サーボゾーンには所謂シーク動作時等における粗い位置決めのためのサーボ用信号生成に使用されるトラックアドレス２０１と、オントラック状態を保持する等、細かい位置決めのサーボ用信号生成のためのファインシグナル２０３とが記録されている。さらにクロックマーク２０２が設けられ、クロック生成のために用いられる。高精度のクロックを生成し、且つ、充分なサーボ信号を得るために、サーボ領域は、トラック１周当たり数百箇所設けられ、等間隔で配置されている。
【００４０】
上述したサーボゾーン１０１内の各種信号について、簡単に説明する。クロックマーク２０２からは、再生孤立波形が再生される。再生孤立波形において、例えばピークの存在時刻からディスク回転に同期したクロック情報が得られる。
【００４１】
トラックアドレス２０１は、磁気ヘッドの位置決めサーボのうち、目標トラックにヘッドを移動させるトラックシーク・モードにおいて必要とされるものである。トラックアドレス２０１は、例えばトラックアドレスをグレイコードなどにより符号化して、各トラック毎に異なるように長さと配置を変えたパターンとして形成される。
【００４２】
また、ファインシグナル２０３は、磁気ヘッドの位置決めサーボのうち、目標トラックの中心にヘッドを正確に位置決めするトラッキングモードにおいて必要であり、トラックに対するヘッドの相対位置を示すパターンである。４つの磁気パターン、Ａ、Ｂ、Ｘ、Ｙからなる。
【００４３】
なお、初期同期確立動作、すなわちクロックマーク２０２への同期を確立するための動作のために、上述したディスクの周方向の基準点、すなわち特殊なユニークパターンを検出する。ユニークパターンは、クロックマークのおおよその存在位置を検出するために用いられる同期補助パターンであり、ディスクのトラックアドレス領域にデイスク１周当たり数１０個所記録される。このユニークパターン検出には、例えば以下のような方法が用いられる。
【００４４】
まず、ディスク媒体から再生される再生信号からバイナリデータを検出する。このために、再生信号は、Ａ／Ｄ変換器によりディジタル信号に変換された後に、しきい値検出器またはビタビデコーダによってバイナリデータに変換される。ビタビデコーダは、得られたサンプル列をデコードデータとしてビタビ復号する。しきい値検出器またはビタビデコーダは、例えばユニークパターン検出回路内等に設けられる。
【００４５】
このようにして生成されたバイナリデータから、例えば以下のような方法によってユニークパターンが認識される。すなわち、ユニークパターン検出回路は、ユニークパターンから再生されるバイナリデータパターンを予め記憶している。そして、初期同期確立動作においてビタビ復号等の方法によって検出されたバイナリデータパターンと、上述したように予め記憶していたバイナリデータパターンが一致した場合に、ユニークパターンを検出したと判断する等の方法である。
【００４６】
そして、ユニークパターン検出回路は、ユニークパターンを検出した時点から所定の時間が経過した後にウィンドウを生成して、クロックマーク２０２から再生される再生孤立波形を検出する。このようにして検出される再生孤立波形に基づいて、上述したようにクロック情報を生成することが可能となる。
【００４７】
磁気ディスク装置においては、上述したようなディスク媒体上のサーボゾーンに形成された種々のパターンから再生される再生信号に基づいて、所定のトラックに磁気ヘッド等の記録または再生手段を移動させ、さらに、トラック中心へのトラッキングを行いながら、クロックに同期して、データの記録／再生を行うように構成されている。
【００４８】
磁気ディスクの回転基準点を示すのがホームインデックスパターンと呼ばれ、デイスク１周につき、通常１個、上記のユニークパターンに替わって、トラックアドレス領域に記録されている。ホームインデックスを検知し、さらに、ここからのサーボゾーン数をカウントすることで、周方向の位置を特定できるように構成されている。
【００４９】
これら、サーボゾーン内のサーボ情報は、磁気ディスク等の記録媒体を記憶装置、すなわち磁気ディスクドライブ装置に組み込む前に、サーボライタとよばれる装置によってあらかじめ記録される。サーボライタでは、ヘッドを精密に位置決めする手段、正確なタイミングをとるための手段などが用意され、これらの微細な制御によって記録媒体上に高精度なサーボ情報が記録される。
【００５０】
これらサーボ情報の書き込まれたディスクを組み込んだディスクドライブ装置においては、ヘッドがサーボ情報を読み取ることによって、ディスクの半径方向の位置と、周方向の位置を知ることができ、これによりディスクに対するヘッドの相対位置を特定し、所望の位置へのデータ書き込み、およびデータ読み取りが可能となる。
【００５１】
本発明の情報記録媒体、例えば磁気ディスクにおいては、サーボゾーン１０１内にさらに媒体を特定するための固有の情報（ＩＤ情報）が記録される。一般データの記録可能なデータゾーンではないサーボゾーン１０１領域、すなわちトラックアドレス等を記録する領域の一部に、媒体を特定するための固有の情報（ＩＤ情報）を記録する。このＩＤ情報は、サーボライタによる一連のサーボ情報記録手順の中で、あらかじめ決められた箇所に記録される。
【００５２】
媒体を特定するための固有の情報（ＩＤ情報）は、例えば、個々の媒体にユニークなシリアル番号とする。このシリアル番号付与構成によって、すべての情報記録媒体、またはその情報記録媒体を組み込んだパーソナルコンピュータを、個別に識別することが可能となる。
【００５３】
図３に本発明の情報記録媒体の一例としての磁気ディスクのフォーマット例を示す。図３は、データゾーンとサーボゾーンが交互に並んだ磁気ディスクの一部を模式的に示した図であり、左端のサーボゾーンは［サーボ＃０］３０１、すなわちホームインデックスを有するサーボゾーンである。［サーボ＃０］３０１の右隣にはデータゾーン３０２が設けられ、さらにサーボゾーン［サーボ＃１］３０３、データゾーン３０４と、以下、データゾーンとサーボゾーンが交互に並んだ構成を有する。
【００５４】
各サーボゾーンには、上述したように、図２で示すサーボゾーンと同様、トラックアドレス３０５、クロックマーク３０６、ファインシグナル３０７が形成されている。なお、サーボゾーン［サーボ＃０］３０１には、ホームインデックス３０８が形成されている。
【００５５】
図３に示すように、トラックアドレス０のホームインデックスのあるサーボ領域の次のサーボ領域である、サーボゾーン［サーボ＃１］３０３には本発明の情報記録媒体の特徴である媒体を特定するための固有の情報（ＩＤ情報）として固有ＩＤ情報３０９が記録されている。
【００５６】
図３に示すように、サーボゾーン［サーボ＃１］３０３のトラックアドレス位置の本来トラック０のアドレスデータが記録される領域に固有ＩＤ情報３０９が記録される。
【００５７】
上述したように、トラックアドレスは、磁気ヘッドの位置決めサーボのうち、目標トラックにヘッドを移動させるトラックシーク・モードにおいて必要とされるものである。トラックアドレスは、ディスク一周当たり数十から数百、記録されており、これらのアドレス中、数箇所にトラックアドレスの記録がなくても、他のトラックアドレスによってトラックシークは十分に可能であり、何ら支障は生じない。
【００５８】
この媒体を特定するための固有ＩＤ情報３０９が記録されたＩＤ記録領域は、あらかじめその記録場所を固定して設定される。従って、このＩＤ情報を埋め込んだディスクを駆動する磁気ディスクドライブ装置は、そのＩＤ記録領域を有するサーボ領域を再生するときはそれがＩＤ情報であるという識別が可能な構成とする。例えば、特定のディスク領域、すなわち固有ＩＤ情報３０９が埋め込まれたサーボ領域、この図３に示す例では、サーボ＃０のサーボ領域のトラック０のトラックアドレスデータ位置の記録データを読み取る読み取りプログラムによって、固有ＩＤ情報３０９を読み取る。このＩＤ情報読み取りプログラムは、ＩＤ情報を記録した領域に対応したサーボ領域のデータを読み取る構成とすることが必要である。
【００５９】
なお、固有ＩＤ情報を書き込んだ位置は、本来トラックアドレスが書き込まれているべき領域であり、データゾーンに対するデータの記録再生時のサーボ情報読み取り時にも読み取られることになるが、前述したように、トラックアドレスは、ディスク一周当たり数十から数百、記録されており、これらのアドレス中、数箇所にトラックアドレスの記録がなく、シーク動作中にＩＤ情報のようなサーボ情報と異なる情報が読み取られても、他のサーボゾーンに書き込まれた正確なトラックアドレスデータによってトラックシークは可能であり、何ら支障は生じない。
【００６０】
磁気ディスクドライブは、上述のＩＤ情報読み取りプログラム等により、固有ＩＤ情報３０９をその媒体を特定する情報を必要な場合に読み込む構成とする。
【００６１】
固有ＩＤ情報３０９は、サーボゾーンにおけるサーボ信号と同様、サーボライタによってサーボゾーン内に記録される。すなわち、上述のサーボゾーン内の各データと同様の手順で記録される。
【００６２】
この固有ＩＤ情報が記録された磁気記録媒体を、例えば磁気ディスクドライブ装置、またはパーソナルコンピュータ装置等に組み込んだ後は、新たなＩＤを記録することは不可能であり、また、再書き込み、消去等も不可能である。従って、磁気ディスク装置を購入した一般ユーザがこのＩＤ情報を、不正に書き換えることはできない。
【００６３】
従って、音楽、あるいは映像等の情報提供者がインターネット等のネットワークを介して不特定多数の受信者に情報を配信するシステムにおいても、その情報の記憶装置への記録に際して、個々のＩＤ情報を確認することにより、不正なコピーが発生することを防止することができる。
【００６４】
なお、固有ＩＤ情報は媒体を識別するため多くのビット数を必要とするので、ディスク上に存在するいくつかのサーボ領域を連続に、あるいは数箇所飛び飛びに使用して一つのＩＤ情報を構成するようにしてもよい。
【００６５】
例えば、トラックアドレス記録領域として各サーボゾーンに１２ｂｉｔの領域が割り当てられているとすると、これをＩＤ情報記録領域として使用すると１２ｂｉｔすなわち４０９６までの識別番号しか使用することができず、媒体固有の情報として、例えばシリアル番号を付与する場合には、付与可能なシリアル番号が不足する場合がある。
【００６６】
そこで、例えば図４に示すように、ホームインデックスの次のサーボゾーンと、ｎ番目のサーボゾーンの２つのサーボゾーンによって１つのＩＤ情報を記録した構成とすることができる。あるいは、ホームインデックスの次のサーボゾーンと、ホームインデックスから数えてｌ番目のサーボゾーン、ホームインデックスから数えてｍ番目のサーボゾーン、ホームインデックスから数えてｎ番目のサーボゾーンと３つ以上の複数のサーボゾーンをＩＤ情報記録領域として使う構成としてもよい。
【００６７】
このように、複数のサーボゾーンを使用して固有ＩＤ情報を記録する場合は、ＩＤ情報読み取りプログラムは、ＩＤ情報を記録した領域に対応したサーボ領域のデータを読み取る構成とする。すなわち、ホームインデックスから数えて何番目のトラックアドレス領域にＩＤ情報が記録されているかに応じて、そのＩＤ情報記録位置のトラックアドレスデータ、すなわちＩＤ情報を読み取るようにプログラムすることが必要である。
【００６８】
図４に本発明の情報記録媒体の一例として、２つのサーボゾーンをＩＤ情報記録領域とした磁気ディスクのフォーマット例を示す。図４は図３と同様、データゾーンとサーボゾーンが交互に並んだ磁気ディスクの一部を模式的に示した図であり、左端のサーボゾーンは［サーボ＃０］４０１、すなわちホームインデックス４０８を有するサーボゾーンである。［サーボ＃０］４０１の右隣にはデータゾーン４０２が設けられ、さらにサーボゾーン［サーボ＃１］４０３、データゾーン４０４と、以下、データゾーンとサーボゾーンが交互に並んだ構成を有する。
【００６９】
各サーボゾーンには、トラックアドレス４０５、クロックマーク４０６、ファインシグナル４０７が形成されている。なお、サーボゾーン［サーボ＃０］４０１には、ホームインデックス４０８が形成されている。
【００７０】
図４に示すように、トラックアドレス０のホームインデックスのあるサーボ領域の次のサーボ領域であるサーボゾーン［サーボ＃１］４０３のには本発明の情報記録媒体の特徴とである媒体を特定するための固有の情報（ＩＤ情報）として固有ＩＤ情報４１０が記録されている。さらに、ｎ番目のサーボゾーン［サーボ＃ｎ］４０９にも固有ＩＤ情報４１１が記録されている。この図４に示す例では、サーボゾーン［サーボ＃１］４０３とサーボゾーン［サーボ＃ｎ］４０９に記録された固有ＩＤ情報４１０と固有ＩＤ情報４１１によって１つの固有ＩＤ情報を形成する。
【００７１】
この媒体を特定するための固有ＩＤ情報４１０，４１１が記録されたＩＤ記録領域は、あらかじめその場所を固定して設定する。従って、磁気ディスクドライブがそのＩＤ記録領域を有するサーボ領域を、例えば上述のＩＤ情報読み取りプログラムに従って、再生するときはそれがＩＤ情報であるという識別がなされる。
【００７２】
磁気ディスクドライブは、固有ＩＤ情報４１０，４１１をその媒体を特定する情報を必要な場合に、上述のＩＤ情報読み取りプログラムに従って読み込む構成とし、固有ＩＤ情報をサーボ情報として使用することはしない。
【００７３】
固有ＩＤ情報４１０，４１１は、サーボゾーンにおけるサーボ信号と同様、サーボライタによってサーボゾーン内に記録される。
【００７４】
この固有ＩＤ情報が記録された磁気記録媒体を、例えば磁気ディスクドライブ装置、またはパーソナルコンピュータ装置等に組み込んだ後は、一般のデータ記録再生機能によって新たなＩＤを記録することは不可能であり、また、再書き込み、消去等も不可能である。従って、磁気ディスク装置を購入した一般ユーザがこのＩＤ情報を、不正に書き換えることはできない。
【００７５】
図４で示したように２つのサーボゾーンのトラックアドレス領域をＩＤ情報記録領域として使うことにすれば、１つのサーボゾーンのトラックアドレスが１２ｂｉｔであるとすると、合計２４ｂｉｔの異なるＩＤ情報を書き込むことが可能となる。また、４つのサーボゾーンをＩＤ情報記録領域として使うことにすれば、合計４８ｂｉｔの情報を記録することができ、２48≒２×１０14通りの情報を記録することができるようになる。
【００７６】
なお、ホームインデックスパターンはこれらのＩＤ情報パターンとは異なるパターンである必要があるため、ＩＤ情報として使用できるパターンはホームインデックスパターン以外のものとする。
【００７７】
また、ＩＤ情報がディスク上の傷などによって再生できなくなることを防ぐため、領域の異なる複数箇所に同じＩＤ情報を重複して記録しておく構成としてもよい。このような構成にすれば、ＩＤ情報の読み取りをより確実に実行することが保証され、効果的である。
【００７８】
例えばディスクの異なる面であるとか、情報記録媒体の異なる面のサーボゾーンに、同じＩＤ情報を複数個記録した構成としたり、ディスクの内周エリアとと外周エリア、すなわちディスクのサーボゾーンの異なる半径位置の領域に、同じＩＤ情報を複数個記録した構成とすることにより、ＩＤ情報の読み取りをより確実に実行することが保証される。
【００７９】
図５に、本発明にかかる磁気ディスク装置の一実施例の構成を示すブロック図を示す。図５のブロック図を用いて本発明にかかる磁気ディスク装置の動作について説明する。
【００８０】
まず、サーホゾーンのアドレス情報を通常のヘッド位置制御として使用する場合の信号の流れについて説明する。
【００８１】
磁気ディスク５１０から再生ヘッド５１２によって再生された信号は再生アンプ５１５によって増幅された後、Ａ／Ｄ変換器（ＡＤＣ）５２６によってデジタル信号に変換される。
【００８２】
このＡ／Ｄ変換器（ＡＤＣ）５２６によって変換された信号はトラッキングサーボ信号検出及びそれによって位置制御を行う位置制御回路５２２に入力され、ＶＣＭ（ボイスコイルモータ）５２３を駆動することでヘッド５１２の位置決め制御が行われる。
【００８３】
また、Ａ／Ｄ変換器（ＡＤＣ）５２６によって変換されたデジタル信号は、トラック番号及びホームインデックス検出器５１７によって半径方向の位置と周方向の位置が特定される。
【００８４】
このようにサーボゾーンのサーボ情報に基づいてヘッド５１２はディスク５１０に対して所望の位置に位置決めされ、データの記録再生を実行する。
【００８５】
次に、本発明にかかるディスク装置の固有ＩＤ情報を読み取る場合の信号の流れについて説明する。
【００８６】
ホストコンピュータからのコマンドをホストインタフェースを介して受領し、固有ＩＤ情報の読み出し命令をハードディスクコントローラ（ＨＤＣ）５１３が受信した場合には、位置制御回路５２２によって、あらかじめ規定されたトラックにヘッド５１２を移動させ、固有ＩＤ情報が記録されたサーボゾーンから信号を再生する。固有ＩＤ情報が記録されたサーボゾーンは、上述のように、ＩＤ情報読み取りプログラムに規定されているものであり、１つのサーボゾーンのトラックアドレスデータ領域をＩＤ情報記録領域として読み取ったり、あるいは複数のサーボゾーンのトラックアドレスデータ領域をＩＤ情報記録領域として読み取る。
【００８７】
この読み取り信号から、固有ＩＤ検出回路５２０によって固有ＩＤ情報が再生され、ハードディスクコントローラ（ＨＤＣ）５１３、ホストインタフェースを介してホストコンピュータに転送される。
【００８８】
次に、図６を用いて、このような固有ＩＤ情報を記録したドライブを用いて音楽情報、画像情報などの配信を受ける場合の処理について説明する。
【００８９】
上述の、図６に示す情報受信装置６０２は、個人のパーソナルコンピュータ等であり、データ通信手段およびデータ記録可能な磁気ディスク等の装置を備えた装置である。情報受信装置６０２は、予め所定の固有の情報（ＩＤ情報）を、媒体のサーボゾーン部分の所定位置に出荷時点で記録された構成を有する。
【００９０】
情報受信装置６０２は、磁気ディスク等の記録媒体を使用して一般のデータ記録再生を行なうとともに、例えば、ＩＤ情報読み取りプログラムを実行することによって媒体のサーボゾーン部分の所定位置に出荷時点で記録された固有の情報（ＩＤ情報）を読み取ることができる。
【００９１】
情報提供者６０１は、予め情報受信側とライセンスを結び、その際、ライセンスされた情報受信装置６０２の固有の情報（ＩＤ情報）を登録する。情報提供者６０１は、情報受信装置６０２側が、ＩＤ情報読み取りプログラムを実行することによって読み取った固有の情報（ＩＤ情報）をインターネット等の通信手段を介して受領し、受領したＩＤ情報と登録ＩＤとを比較し、両者が一致するか否かを判定する。両者が一致していれば、情報提供者６０１は、情報受信装置６０２側を正当な装置であると認証し、配信情報を情報受信装置６０２に送信する。
【００９２】
この際に使用されるＩＤ情報は、上述のように情報記録媒体のサーボゾーンに記録されたＩＤ情報であり、サーボライタ等によってサーボ情報とともに記録媒体の製造時に記録された固有情報であり、ユーザによって書き換えができない固有ＩＤ情報である。従って、情報提供者６０１は、正規なライセンスを受けたシステムを特定することが可能となり、正規ユーザに対してのみ情報の配信、あるいは記憶装置への記憶を許可することが可能となる。
【００９３】
情報提供者６０１は、例えば所定のキー：ｋで暗号化して配信データを情報受信装置６０２側に転送するようにしてもよい。この場合、暗号化データを受信した情報受信装置６０２側において復号処理を行なう。
【００９４】
この暗号化処理に用いるキー：ｋとしては、例えば情報受信装置６０２が伝送してきた装置ＩＤを所定の関数ｆに適用して生成した値：ｋ（＝ｆ（ＩＤ））を用いることができる。情報受信装置７０２側においても、同様にして、ＩＤに関数ｆを適用して、キー：ｋ（＝ｆ（ＩＤ））を生成する。そして、このキーｋを用いて、情報提供側から伝送されてきた、暗号化されている音声または画像データを復号するような構成が可能である。
【００９５】
次に、図７を用いて、本発明の情報記録媒体、すなわち固有ＩＤ情報をサーボゾーンに記録したディスクドライブ装置を用い、さらに、ホストシステムに特有の構成を備えた構成により音楽情報、画像情報などの配信を受ける場合の処理について説明する。
【００９６】
図７において、７３１は、固有ＩＤ情報をサーボゾーンに記録したハードディスク等の記憶装置、すなわち固有ＩＤつき記憶装置７３１である。７３２は、固有ＩＤつき記憶装置７３１を接続したホストシステムである。ホストシステム７３２はインターネット等の通信手段を介して外部からの情報、例えば音楽や画像等のデジタル情報を受信することが可能な構成を持つ。
【００９７】
本発明にかかる固有ＩＤ情報をサーボゾーンに記録した固有ＩＤつき記憶装置７３１は、ホストシステム７３２に接続され、データゾーンにおけるデータの記録再生、およびＩＤ情報の読み取りをホストシステム７３２からのコマンドを受領して、各コマンドに従って各処理を実行する。
【００９８】
ホストシステム７３２が情報配信サーバから音楽、映像等の情報配信を受けようとする際の処理について説明する。
【００９９】
まず、ホストシステム７３２からのコマンドに従って、記憶装置７３１から固有ＩＤ情報の読み出しを行う。これは、例えば、ＩＤ情報読み取りプログラムを実行することによって媒体のサーボゾーン部分の所定位置に出荷時点で記録された固有の情報（ＩＤ情報）を読み取る処理である。ホストシステム７３２は読み取った固有ＩＤを情報配信サーバーへ送信する。
【０１００】
ホストシステム７３２からの固有ＩＤ情報を受領した情報配信サーバでは、受信した記憶装置の固有ＩＤに基づいて、配信する情報たとえば音楽曲目を、ユーザの記憶装置（例えばハードディスク）に記憶するためのライセンス情報を作成する。この情報は何らかの手法で暗号化されていてもよい。
【０１０１】
情報配信サーバにおいて作成されたライセンス情報は情報配信サーバーから配信され、ホストシステム７３２が受信して、ホストシステム７３２内のライセンス情報保持部７３４に曲目別に保持される。情報配信サーバーからは、ライセンス情報と共に配信情報、例えば音楽曲目の情報も配信される。
【０１０２】
ホストシステム７３２内のライセンスサーバ７３３は、固有ＩＤつき記憶装置７３１のサーボゾーンに記録された固有ＩＤと、情報配信サーバにおいて作成されて配信されライセンス情報保持部７３４に曲目別に保持されたライセンス情報との比較を行い、該ライセンス情報が、記憶装置７３１から読み出された固有ＩＤに基づいて作成された情報であることの確認処理を実行し、固有ＩＤに基づいて作成された情報であることの確認がなされた場合にはスイッチ７３５を閉じ、音楽などの配信情報を固有ＩＤつき記憶装置７３１のデータゾーンに記憶可能とする。ライセンス情報が固有ＩＤに基づいて作成された情報であることの確認がなされなかった場合には、スイッチ７３５を開いて記憶装置７３１に記憶できないようにする。
【０１０３】
ライセンスサーバ７３３の実行する固有ＩＤつき記憶装置７３１のサーボゾーンに記録された固有ＩＤと、情報配信サーバにおいて作成されて配信されライセンス情報保持部７３４に曲目別に保持されたライセンス情報との比較処理は、例えば、予め情報配信サーバからライセンスを受けたユーザに付与されたキーを用いて、暗号化ライセンス情報を復号し、その復号データの一部に固有ＩＤつき記憶装置７３１のサーボゾーンに記録された固有ＩＤが含まれるか否かを判定する処理等によって実行することができる。
【０１０４】
上述したように図７に示す構成により、正規なライセンスを受けたユーザを記憶装置７３１のサーボゾーンに記録された固有ＩＤによって確実に確認することができるので、不正なユーザによる配信データの記憶装置への記憶を防止することができる。
【０１０５】
なお、図７に示すブロック構成においてライセンス情報保持部７３４はＲＡＭ等のメモリによって実現可能であり、また、ライセンスサーバ７３３は、すなわちＩＤ比較手段であり、例えば上述の暗号化ライセンス情報を復号し、その復号データの一部に固有ＩＤつき記憶装置７３１のサーボゾーンに記録された固有ＩＤが含まれるか否かを判定する処理をプログラムを実行する手段によって実現可能である。
【０１０６】
また、図７に示すスイッチ７３５は、情報配信サーバから転送される配信データを記憶装置７３１に記録可能とする記録可能化手段であり、例えば情報配信サーバから転送される暗号化配信データを復号するプログラムを実行する手段によって実現することができる。例えば、ライセンスサーバ７３３によって復号されたライセンス情報に、暗号化された配信データを復号する復号キーを含ませ、この復号キーを用いて暗号化配信データを復号することで、復号された配信データを記憶装置７３１に記憶する、すなわちスイッチ７３５を閉じた状態とし、正規なＩＤを持たない場合は、前述の復号キーが得られないので、暗号化配信データの復号ができず、この状態をスイッチ７３５が開いた状態とすることができる。従って、図７における構成は、特別なハードウェア構成を持たなくても所定の処理プログラムを導入することにより、一般的なパーソナルコンピュータにおいて実現することが可能である。
【０１０７】
また、ライセンスサーバ７３３の実行する固有ＩＤつき記憶装置７３１のサーボゾーンに記録された固有ＩＤと、情報配信サーバにおいて作成されて配信されライセンス情報保持部７３４に曲目別に保持されたライセンス情報との比較処理は、配信データの再生時に行うようにしてもよい。
【０１０８】
この場合には、ライセンスサーバー７３３は、記憶装置７３１の固有ＩＤとライセンス情報の比較を行い、該ライセンス情報が、記憶装置７３１から読み出された固有ＩＤに基づいて作成された情報であることの確認処理を実行し、固有ＩＤに基づいて作成された情報であることの確認がなされた場合にはスイッチ７３６を閉じ、音楽などの配信情報を固有ＩＤつき記憶装置７３１のデータゾーンから読み出して、スピーカ、モニタなどへ転送する。ライセンス情報が固有ＩＤに基づいて作成された情報であることの確認がなされなかった場合には、スイッチ７３６を開いて再生できないようにする。
【０１０９】
上記のスイッチ７３６は、再生可能化手段であり、上述のスイッチ７３５と同様に、情報配信サーバから転送される暗号化配信データを復号するプログラムを実行する手段によって実現することができる。例えば、ライセンスサーバ７３３によって復号されたライセンス情報に、暗号化された配信データを復号する復号キーを含ませる。記憶装置７３１に記憶する配信データは暗号化された画像、音楽等の配信データとし、これを再生時に、前述の復号キーを用いて復号することで、復号された配信データをスピーカ、モニタなどへ転送する。すなわちこの復号可能な状態をスイッチ７３６を閉じた状態とし、正規なＩＤを持たない場合は、前述の復号キーが得られないので、記憶装置７３１に記憶された暗号化配信データの復号ができず、この状態をスイッチ７３６が開いた状態とすることができる。従って、図７におけるスイッチ７３６の構成は、特別なハードウェア構成を持たなくても所定の処理プログラムを導入することにより、一般的なパーソナルコンピュータにおいて実現することが可能である。
【０１１０】
さらに、上述のライセンス情報に、例えばライセンス有効期限を設けたり、有効回数をチェックしたりするデータを含ませることもも可能であり、このような各種制限を加えた構成に対応する処理プログラムを実行する態様により、情報プロバイダからの配信データのユーザの記憶装置に対する記憶、または再生処理について、さらに細かく制御することが可能となる。
【０１１１】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【０１１２】
【発明の効果】
以上説明したように、本発明の情報記録媒体および情報処理装置によれば、データの記録再生領域とは異なるサーボゾーンに媒体固有のＩＤ情報を記録するため、記憶装置にこれを組み込んだ状態では書き換えることが不可能であり、再生することだけが可能となるので、ＩＤを確認して情報を記憶装置に記憶するようにすることで、不正なデータ記憶を防止することが可能となる。
【０１１３】
さらに、本発明の情報記録媒体および情報処理装置によれば、サーボライタという特殊で高価な装置を使用してサーボゾーンに媒体固有のＩＤ情報を記録する構成としたので、一般ユーザによるＩＤ書き換え、すなわち改竄の防止可能な構成が実現される。
【０１１４】
さらに、本発明の情報記録媒体および情報処理装置によれば、配信データを暗号化処理して、これを記憶装置のサーボゾーンに記録した固有ＩＤに基づく復号キーによって復号する処理構成とすることにより、正規ライセンスを受けたユーザ、すなわち記録媒体を確実に識別してその記録媒体を有するユーザに対してのみ復号データの記憶または再生処理を可能とする構成を実現することができる。
【図面の簡単な説明】
【図１】本発明の情報記録媒体および情報記録媒体を有する情報処理装置において適用可能な磁気ディスクにおけるディスクフォーマットを示す図である。
【図２】本発明の情報記録媒体および情報記録媒体を有する情報処理装置において適用可能な磁気ディスクにおけるサーボゾーンの構成を示す図である。
【図３】本発明の情報記録媒体および情報記録媒体を有する情報処理装置におけるディスクにおけるＩＤ情報の配置例（その１）を示す図である。
【図４】本発明の情報記録媒体および情報記録媒体を有する情報処理装置におけるディスクにおけるＩＤ情報の配置例（その２）を示す図である。
【図５】本発明の情報処理装置の構成例を示すブロック図である。
【図６】本発明の情報処理装置の構成を用いて情報の配信、記憶装置に対する記録処理構成（その１）を説明する図である。
【図７】本発明の情報処理装置の構成を用いて情報の配信、記憶装置に対する記録処理構成（その２）を説明するブロック図である。
【図８】従来の情報の配信、記憶装置に対する記録構成を説明する図である。
【符号の説明】
１０１  サーボゾーン
１０２  データゾーン
２０１  トラックアドレス
２０２  クロックマーク
２０３  ファインシグナル
３０１，３０３  サーボゾーン
３０２，３０４  データゾーン
３０５  トラックアドレス
３０６  クロックマーク
３０７  ファインシグナル
３０８  ホームインデックス
３０９  固有ＩＤ情報
４０１，４０３，４０９  サーボゾーン
４０２，４０４  データゾーン
４０５  トラックアドレス
４０６  クロックマーク
４０７  ファインシグナル
４０８  ホームインデックス
４１０，４１１  固有ＩＤ情報
５１０  磁気ディスク
５１２  ヘッド
５１３  ハードディスクコントローラ（ＨＤＣ）
５１５  再生アンプ
５１６  データ復調回路
５１７  トラック番号／ホームインデックス検出回路
５１８  記録データ発生回路
５１９  タイミング発生回路
５２０  固有ＩＤ検出回路
５２１  記録アンプ
５２３  ボイスコイルモータ（ＶＣＭ）
５２４  ＣＰＵ
５２５  バッファ（ＲＡＭ）
５２６  Ａ／Ｄ変換器（ＡＤＣ）
６０１  情報提供者
６０２  情報受信装置
７３１  記憶装置
７３２  ホストシステム
７３３  ライセンスサーバ
７３４  ライセンス情報保持部
７３５  スイッチ
７３６  スイッチ
８００  情報プロバイダ
８０１，８０２，８０３  情報受信ユーザ
８１０  配信データ・データベース
８２０  登録ＩＤデータベース
【図１】
0004003352.tif 000002
【図２】
0004003352.tif 000003
【図３】
0004003352.tif 000004
【図４】
0004003352.tif 000005
【図５】
0004003352.tif 000006
【図６】
0004003352.tif 000007
【図７】
0004003352.tif 000008
【図８】
0004003352.tif 000009